(57)【要約】  装置を装着者の手首に取り付けるためのバンドまたはストラップと、少なくとも１つの光学構成要素を包含する製品コード・リーダと、センサと、プロセッサと、を包含する手首装着型の装置。センサは、使用において、装着者の手首の長さ方向の軸周りの装置の回転を示す、その装置の回転を検出するべく構成される。プロセッサは、センサおよび製品コード・リーダに結合され、かつ使用において、センサが少なくともあらかじめ定義済みの角度にわたる装置の回転を検出するとき、光学構成要素を付勢するか、または、あらかじめ定義済みのその後に続く動作もしくは複数の動作が光学構成要素を付勢することが可能な状態に装置を設定するべく構成される。
2021512433.tif 000002
【特許請求の範囲】
【請求項１】
手首装着型の装置であって、
・前記装置を装着者の手首に取り付けるためのバンドまたはストラップと、
・少なくとも１つの光学構成要素を包含する製品コード・リーダと、
・使用において、前記装着者の手首の長さ方向の軸周りの前記装置の回転を示す前記装置の回転を検出するべく構成されたセンサと、
・前記センサおよび前記製品コード・リーダに結合され、かつ使用において、前記センサが少なくともあらかじめ定義済みの角度にわたる前記装置の回転を検出するとき、前記光学構成要素を付勢するか、または、あらかじめ定義済みのその後に続く動作または複数の動作が前記光学構成要素を付勢することが可能な状態に前記装置を設定するべく構成されたプロセッサと、
を包含する手首装着型の装置。
【請求項２】
前記あらかじめ定義済みの角度は、２０度より大きく、好ましくは３０度より大きく、より好ましくは４５度より大きい、請求項１に記載の装置。
【請求項３】
前記プロセッサは、使用において、前記検出された回転が、あらかじめ定義済みの時間、たとえば、２秒、またはより好ましくは、１秒未満のうちに生じる場合に限り、前記光学構成要素を付勢するか、または前記装置を前記状態に設定するべく構成される、請求項１または２に記載の装置。
【請求項４】
前記プロセッサは、使用において、前記検出された回転が、あらかじめ定義済みの方向である場合に限り、前記光学構成要素を付勢するか、または前記装置を前記状態に設定するべく構成される、請求項１から３のいずれか一項に記載の装置。
【請求項５】
前記光学構成要素は、前記製品または製品コードを照明するための光源、たとえば、レーザまたは発光ダイオードを包含する、請求項１から４のいずれか一項に記載の装置。
【請求項６】
前記光学構成要素は、カメラを包含する、請求項１から５のいずれか一項に記載の装置。
【請求項７】
前記製品コード・リーダは、バーコード・リーダである、請求項１から６のいずれか一項に記載の装置。
【請求項８】
前記センサは、ジャイロスコープおよび加速度計のうちの１つ以上を包含する、請求項１から７のいずれか一項に記載の装置。
【請求項９】
前記プロセッサは、使用において、その後に続く、少なくともさらなるあらかじめ定義済みの角度にわたる前記装置の回転を前記センサが検出することに応答して前記光学構成要素を消勢するべく構成される、請求項１から８のいずれか一項に記載の装置。
【請求項１０】
前記プロセッサは、さらに、使用において、前記光学構成要素の付勢に続いてあらかじめ決定済みの時間が経過した後に前記光学構成要素を消勢するべく構成される、請求項１から９のいずれか一項に記載の装置。
【請求項１１】
前記プロセッサは、さらに、使用において、前記製品コード・リーダが製品コードを読み取った後に前記光学構成要素を消勢するべく構成される、請求項１から１０のいずれか一項に記載の装置。
【請求項１２】
さらに、前記製品に関連付けされた勧告を前記ユーザに提供するためのインジケータを包含する、請求項１から１１のいずれか一項に記載の装置。
【請求項１３】
さらに、製品コードと、および関連付けされる、前記ユーザによって提供された生体試料の分析から獲得されたパーソナル化した遺伝子情報から導出された製品の勧告とをストアするメモリを包含する、請求項１２に記載の装置。
【請求項１４】
前記装置を付勢するための前記あらかじめ定義済みのその後に続く動作または複数の動作は、前記装置の前記装着者によって行われたジェスチャーを示す前記装置の動きまたは動きのシーケンスを包含し、前記センサは、使用において、前記動きまたは動きのシーケンスを検出するべく構成される、請求項１から１３のいずれか一項に記載の装置。
【請求項１５】
前記動きまたは動きのシーケンスは、前記製品コード・リーダの前記光学構成要素を製品に向かって指向させるジェスチャーを示す、請求項１４に記載の装置。
【請求項１６】
前記ジェスチャーは、前記リストバンドを上昇させることを包含する、請求項１４または１５に記載の装置。
【請求項１７】
装置を装着者の手首に取り付けるためのバンドまたはストラップを包含する手首装着型の装置を動作させる方法であって、少なくともあらかじめ定義済みの角度にわたる装着者の手首周りの前記装置の回転を示す前記装置の回転を検出することと、その種の検出時に、製品コード・リーダの光学構成要素を付勢するか、または前記装置を、あらかじめ定義済みのその後に続く動作または複数の動作が前記光学構成要素を付勢することが可能な状態に設定することと、を包含する方法。
【請求項１８】
手首装着型の装置であって、
・前記装置を装着者の手首に取り付けるためのバンドまたはストラップと、
・レーザ・バーコード・スキャナを包含する製品コード・リーダと、
・使用において、あらかじめ定義済みのジェスチャーを示す前記装置の動きまたは動きのシーケンスを検出するべく構成されたセンサと、
・前記センサおよび前記製品コード・リーダに結合され、使用において、前記センサが前記動きまたは動きのシーケンスを検出したとき、前記レーザ・バーコード・スキャナを付勢するべく構成されるプロセッサと、
を包含する手首装着型の装置。
【発明の詳細な説明】
【技術分野】
【０００１】
本発明は、手首装着型製品コード・リーダに関し、特に、必須ではないが、製品バーコードを読み取るべく構成された手首装着型製品コード・リーダに関する。
【背景技術】
【０００２】
製品コードは、追跡、在庫管理、またはショッピング等の多くの目的のための製品を識別する一般的な方法である。たとえば、多くのスーパーマーケットの製品は、幅により製品についての情報および／または製品のための識別子をコード化した交番する黒と白のストライプからなるバーコードがプリントされたラベルを擁しており、それらを使用して、その製品についての情報をデータベースから取り出すことが可能である。製品コードは、ＱＲコード（登録商標）の場合のように、２次元の、すなわち２Ｄマトリクスの形式に従って情報がコード化されることもある。
【０００３】
製品コードは、製品またはラベルの表面を照明する光源と、電荷結合デバイス（ＣＣＤ）等の、反射された光を処理のための電気信号に変換する光学センサを有する電子装置（『リーダー』または『スキャナ』）を使用して、通常は読み取られる。製品コードを高い忠実度で読み取るためには、レーザ等の明るい光源を使用することがしばしば必要になる。ユーザ（または、その近隣）の防眩のために、製品コードの読み取りに使用されていないときは光源のスイッチを切っておくことが重要となり得る。このことは、ユーザがポイントすることが可能な製品コード・リーダ、たとえば、ペンまたはワンド等の手持ち型の製品コード・リーダの場合に特に当て嵌まる。周知のバーコード・リーダでは、レーザ光源を付勢するために、たとえば、ユーザが装置のハンドル内のトリガを押し下げておくことが必要になる。
【０００４】
いくつかのポータブル製品コード・リーダは、製品コードの照明を周囲光に頼っており、たとえば、製品コードを取り込むカメラに頼っているが、その場合でもなお、バッテリ電力を節約するため、または常時オンになっているカメラを有する装置に関連するプライバシー上の懸念を回避するために、これらのリーダが読み取りに使用されているときにのみ付勢されることは重要である。
【０００５】
特許文献１は、ガイド付き製品情報を消費者に、その消費者の個人的な遺伝子情報に基づいて提供するシステムを記述している。システムは、製品バーコードをスキャンし、それらと製品および製品の勧告とのマッチングを、その製品の成分および装着者の個人的な遺伝子学に基づいて行い、製品の勧告を、たとえば可視ディスプレイを介して提供することができる手首装着型製品スキャナの用途を提案している。上に詳述した周知の製品スキャナの問題点を鑑みるに、特許文献１の中で述べられているリストバンドの装着者が、単純かつ効率的な手段を用いて（たとえば、電力の節約および／または防眩のために）スキャナをオン・オフすることが可能になる何らかの手段を提供することが望ましいであろう。明らかに、装置内へボタンを組み込むことは可能であり、あるいは装着者が指を用いて装置をタップしたとき、または装着者が自分の手首を振り動かしたときに『ウェイクアップ』するべく装置を構成することは可能である。しかしながら、その種のアプローチは、偶発的かつ意図されたものではない装置の付勢を結果としてもたらしがちである。
【先行技術文献】
【特許文献】
【０００６】
【特許文献１】国際公開第２０１７／０５５８６７号パンフレット
【発明の概要】
【課題を解決するための手段】
【０００７】
本発明の第１の側面によれば、手首装着型の装置が提供され、前記装置は、前記装置を装着者の手首に取り付けるためのバンドまたはストラップと、少なくとも１つの光学構成要素を包含する製品コード・リーダと、使用において、前記装着者の手首の長さ方向の軸周りの前記装置の回転を示す前記装置の回転を検出するべく構成されたセンサと、プロセッサと、を包含する。前記プロセッサは、前記センサおよび前記製品コード・リーダに結合され、かつ使用において、前記センサが少なくともあらかじめ定義済みの角度にわたる前記装置の回転を検出するとき、前記光学構成要素を付勢するか、または、あらかじめ定義済みのその後に続く動作または複数の動作が前記光学構成要素を付勢することが可能な状態に前記装置を設定するべく構成される。
【０００８】
装着者の手首の長さ方向の軸周りの前記装置の回転は、前記装着者の手首周りの前記装置の回転（すなわち、前記軸周りの前記装置のみの回転）、または前記装置と一緒の前記装着者の手首の回転（すなわち、前記装着者が自分の手首を回転することによって前記装置の回転がもたらされる）を含むか、あるいはこの種のタイプの回転の両方の組み合わせを形成し得る。
【０００９】
前記あらかじめ定義済みの角度は、２０度より大きく、好ましくは３０度より大きく、より好ましくは４５度より大きいとしてもよい。
【００１０】
前記プロセッサは、使用において、前記検出された回転が、あらかじめ定義済みの時間、たとえば、２秒、またはより好ましくは、１秒未満のうちに生じる場合に限り、前記光学構成要素を付勢するか、または前記装置を前記状態に設定するべく構成され得る。
【００１１】
前記プロセッサは、使用において、前記検出された回転が、あらかじめ定義済みの方向である場合に限り、前記光学構成要素を付勢するか、または前記装置を前記状態に設定するべく構成され得る。
【００１２】
前記光学構成要素は、前記製品または製品コードを照明するための光源、たとえば、レーザまたは発光ダイオードを包含し得る。前記光学構成要素は、カメラを包含してもよい。
【００１３】
前記製品コード・リーダは、バーコード・リーダであり得る。
【００１４】
前記センサは、ジャイロスコープおよび加速度計のうちの１つ以上を包含し得る。
【００１５】
前記プロセッサは、使用において、その後に続く、少なくともさらなるあらかじめ定義済みの角度にわたる前記装置の回転を前記センサが検出することに応答して前記光学構成要素を消勢するべく構成することができる。
【００１６】
前記プロセッサは、さらに、使用において、前記光学構成要素の付勢に続いてあらかじめ決定済みの時間が経過した後に前記光学構成要素を消勢するべく構成することができる。
【００１７】
前記プロセッサは、さらに、使用において、前記製品コード・リーダが製品コードを読み取った後に前記光学構成要素を消勢するべく構成することができる。
【００１８】
前記装置は、前記製品に関連付けされた勧告を前記ユーザに提供するためのインジケータを包含し得る。
【００１９】
前記装置は、製品コードと、および関連付けされる、前記ユーザによって提供された生体試料の分析から獲得されたパーソナル化した遺伝子情報から導出された製品の勧告とをストアするメモリを包含し得る。
【００２０】
前記装置を付勢するための前記あらかじめ定義済みのその後に続く動作または複数の動作は、前記装置の前記装着者によって行われたジェスチャーを示す前記装置の動きまたは動きのシーケンスを包含し得、前記センサは、使用において、前記動きまたは動きのシーケンスを検出するべく構成される。前記動きまたは動きのシーケンスは、前記製品コード・リーダの前記光学構成要素を製品に向かって指向させるジェスチャーを示し得る。前記ジェスチャーは、前記リストバンドを上昇させることを包含してもよい。
【００２１】
本発明の第２の側面によれば、手首装着型の装置が提供され、前記装置は、前記装置を装着者の手首に取り付けるためのバンドまたはストラップと、レーザ・バーコード・スキャナを包含する製品コード・リーダと、使用において、あらかじめ定義済みのジェスチャーを示す前記装置の動きまたは動きのシーケンスを検出するべく構成されたセンサと、プロセッサと、を包含する。前記プロセッサは、前記センサおよび前記製品コード・リーダに結合され、使用において、前記センサが前記動きまたは動きのシーケンスを検出したとき、前記レーザ・バーコード・スキャナを付勢するべく構成される。
【００２２】
本発明の第３の側面によれば、装置を装着者の手首に取り付けるためのバンドまたはストラップを包含する手首装着型の装置を動作させる方法が提供され、前記方法は、少なくともあらかじめ定義済みの角度にわたる装着者の手首の長さ方向の軸周りの前記装置の回転を示す前記装置の回転を検出することと、その種の検出時に、製品コード・リーダの光学構成要素を付勢するか、または前記装置を、あらかじめ定義済みのその後に続く動作または複数の動作が前記光学構成要素を付勢することが可能な状態に設定することと、を包含する。前記製品コード・リーダをバーコード・リーダとし、前記光学構成要素をレーザまたはＬＥＤとしてもよい。
【００２３】
本発明の第４の側面によれば、手首装着型の装置が提供され、前記装置は、前記装置を装着者の手首に取り付けるためのバンドまたはストラップと、付勢時にバーコードを照明するためのレーザまたは発光ダイオードを包含するバーコード・リーダと、使用において、前記装着者の手首の長さ方向の軸周りの前記装置の回転を示す前記装置の回転を検出するべく構成されたセンサと、前記センサおよび前記バーコード・リーダに結合され、かつ使用において、前記センサが少なくともあらかじめ定義済みの角度にわたる前記装置の前記回転を検出するとき、前記レーザまたは発光ダイオードを付勢するか、または、あらかじめ定義済みのその後に続くジェスチャーが前記レーザまたは発光ダイオードを付勢することが可能な状態に前記装置を設定するべく構成されたプロセッサと、を包含する。
【図面の簡単な説明】
【００２４】
【図１】本発明の実施態様に従った手首装着型製品コード・リーダの概略の斜視図である。
【図２】図１の製品コード・リーダの概略のシステム図である。
【図３】図１および２の製品コード・リーダがどのようにして付勢され得るかを図式的に説明したグラフである。
【図４】図１および２の製品コード・リーダがどのようにして付勢され得るかを図解したシーケンス図である。
【発明を実施するための形態】
【００２５】
上で述べた問題点を解決するために、装置を回転することによって付勢される手首装着型製品コード・リーダ（または『リストバンド』）を提案する。いくつかのシナリオにおいては、リストバンドが、１つの回転の向き、たとえば、装着者にとってもっとも快適なそれ、において手首に装着される。リストバンドは、その後、装着者の手首周りに別の向きに回転され、その結果、それが使用可能となる。この回転に応答するリストバンドの付勢は、装置を操作する装着者にとって単刀直入かつ便利な方法を提供する。この付勢の形態は、装着者がボタンを探して押すか、または押し続ける必要性を伴うことなくリストバンドを使用することを可能にする。その逆に、これは、偶発的な付勢のリスクを有意に低減するリストバンドを付勢するための肯定的な手段を提供する。
【００２６】
図１は、装着者の手首の長さ方向の軸周りに回転することによって付勢することが可能な手首装着型製品コード・リーダ１００またはリストバンドを図解している。リストバンド１００は、ストラップ１０１を包含し、この例においてはそれが、伸縮可能部位１０２を有し、ユーザが自分の手首の上でリストバンド１００を容易に滑らせることを可能にする。ほかの例においては、この伸縮可能部位を伴うストラップに代えて、腕時計に見られるようなリスト・ストラップを使用してもよい。より詳細については後述するが、図４は、装着者の手首に装着されているリストバンド１００を示している。
【００２７】
リストバンド１００は、光起電力セル等の光学センサ１０３と、レーザ等の光源１０４を包含する。リストバンド１００には、製品コードを読み取るために光学センサ１０３を使用すること、および光源１０４を使用してその製品コードを照明することを可能にする窓１０５が備えられる。また、製品についてのフィードバックを装着者に提供するために、発光ダイオード（ＬＥＤ）等のインジケータ（または、複数のインジケータ）１０６も備えられる。
【００２８】
ストラップ１０１の断面は、製品コード・リーダ１００の構成要素（下を参照）を収容するために、一方の側がより厚くなっている。通常、ユーザは、このより厚い側を自分の手首の外側にしてリストバンド１００を装着することを、この向きが概してより快適であることから、また腕時計が通常装着される形態がそれであることからも好むとみられる。
【００２９】
図２は、リストバンド１００の概略のシステム図を示している。
【００３０】
リストバンド１００は、充電ユニット２０２を使用して充電することが可能なバッテリ２０１によって電力供給され、３Ｄ空間におけるリストバンド１００の動きを測定するために加速度計２０３および／またはジャイロスコープ２０４を有する。リストバンド１００は、ユーザの心拍または体温を測定するための心臓モニタ（たとえば、心電図、ＥＣＧ）または温度計、および／またはユーザの場所を追跡するためのＧＰＳセンサ等の追加のセンサおよび電極２０５も包含し得る。
【００３１】
リストバンド１００は、メモリ２０７内にストアされているインストラクションおよびデータにアクセスする処理ユニット２０６によってコントロールされる。無線通信モジュール２０８が備えられ、処理ユニット２０６が、ほかのリストバンド、スマートフォン、スマートウォッチ、またはパーソナル・コンピュータ等のほかのコンピュータ装置と通信することを可能にする。無線通信モジュール２０８を使用して、たとえば、メモリ２０７内にストアされている製品コードおよび／または製品勧告のデータベースを提供し、または更新することが可能である。無線通信モジュール２０８は、リストバンド１００同士の間におけるデータの交換を可能にできる。
【００３２】
リストバンド１００を装着しているユーザに視覚的または触角的なフィードバックを提供するために、発光ダイオード（ＬＥＤ）等のインジケータ２０９および／またはバイブレータ２１０が備わる。
【００３３】
リストバンド１００は、デフォルト状態または『スタンバイ・モード』において通常は消勢されているとすること、すなわち光源および／または光学センサがオフになっているが、そのほかの構成要素はオンのままとすることが可能である。これは、光源に他者への迷惑、または潜在的な害を生じさせることなく装置が装着されることを可能にし、バッテリ電力の節約にも役立つ。リストバンド１００を使用するために、ユーザは、リストバンド１００を自分の手首周りに回転させる。たとえば、ユーザは、ストラップ１０１のより厚い領域が手首の外側にある向きから、そのより厚い領域が手首の内側となる向きまでリストバンド１００を回転できる。この動きが、リストバンド１００がスタンバイ・モードにある間にジャイロスコープ２０４および／または加速度計２０３によって測定され、１つ以上の信号にコード化され、それが処理ユニット２０６に処理のために提供される。その後処理ユニット２０６は、その信号があらかじめ定義済みの評価基準または複数の評価基準を満たすとリストバンド１００を付勢する。
【００３４】
リストバンド１００の付勢に続いて、装着者は、光学センサ１０３を使用して製品から製品コード（または、そのほかの情報）を読み取るために、その製品に光源１０４を指向させ得る。装着者は、正しく製品に向けて読み取るために自分の片方の手で、または両方の手を一緒に使用して、製品を操作するかまたは保持し得る。それに代えて、装着者は、製品を（たとえば）スーパーマーケットの棚に置いたまま製品コードを読み取るために、リストバンド１００を動かすか、または向け得る。製品コードの読み取り後、リストバンドは、インジケータ２０９を使用して装着者にフィードバックを提供できる。
【００３５】
処理ユニット２０６は、光源１０４および光学センサ１０３をオフに転ずることによってリストバンド１００を消勢し、スタンバイ・モードに再入する。これは、リストバンド１００の付勢に続いて、かつ／またはリストバンド１００を使用した製品コードの読み取りが成功した後のあらかじめ決定済みの『タイムアウト』期間（たとえば、１−６０秒の範囲内の期間）の後に自動的に生じさせ得る。それに代えて、リストバンド１００のさらなる回転、たとえば、リストバンド１００の付勢に使用された回転とは反対の方向の回転等の、さらなる動きまたはジェスチャーに応答してリストバンド１００を消勢することも可能である。
【００３６】
図３は、リストバンド１００の回転または『角度変化』を記述する信号（垂直軸にプロット）に基づいてどのようにリストバンド１００を付勢することが可能であるかを時間（水平軸にプロット）に関して図式的に示している。この例においては、１秒の窓の中で生じた４０度より大きい角度変化が、製品コーダ・リーダ１００の付勢のトリガに使用される。この場合においては、１秒の緩衝域が、信号を処理するには充分であり得る。当然のことながら、このほかの評価基準を使用することは可能である。たとえば、特定時間内において積分した角度変化が特定のスレッショルドを超えた場合に付勢がトリガされてもよい。リストバンド１００の付勢のトリガに使用される評価基準（または、複数の評価基準）、『トリガ・パターン』は、偶発的に、すなわち、装着者が付勢を生じさせることを意図していなかったか、またはそれを期待していなかった動きによってリストバンド１００が付勢される機会を最小化するべく選択され得る。
【００３７】
トリガ・パターンは、個人が好むリストバンド１００の動きを測定し、かつ学習することによってパーソナル化し得る。それを行うため、ユーザによるリストバンド１００の初回（または、システムをリセットした後の初回）の装着時に初期学習段階を設けることができ、それにおいては、製品コード・リーダ１００を広範な動きによって付勢することが可能である。しかしながら、いくつかの異なる試行においてユーザに動きを反復させることによって、好ましいタイプおよび／または動きの範囲を、その特定のユーザのために決定することが可能である。たとえば、ある人は、製品コード・リーダ１００の使用の最初の試みにおいて、レーザ光源が付勢されたことに気付くまでに、自分の手首周りでリストバンド１００を０．８秒内に３５度の角度まで回転したとする。その後に続く学習の試みでは、角度変化が、たとえば１秒内に４０度、０．８秒内に３５度、および０．９５秒内に３５度であったとする。これらの試行に基づいて、３５度の角度スレッショルド、および１秒の窓が、このユーザのための適切なトリガ・パターンであるとすることが可能である。この機能を有効にするため、リストバンド１００を、たとえば、ブルートゥース（登録商標）無線接続を介して装着者のスマートフォンと通信するべく構成することが可能である。
【００３８】
インジケータ２０９およびバイブレータ２１０は、スキャンした製品に関するフィードバックをユーザに提供し得る。たとえば、リストバンド１００のメモリ２０７は、ユーザによって提供された生体試料に対して行われた遺伝子検査の結果に基づいて生成されたパーソナル化した製品の勧告のデータベースをストアし得る。製品コードがリストバンド１００を使用してスキャンされたときに、処理ユニット２０９が、たとえば、その製品コードを使用してその製品または製品のクラスを識別することによって、データベースから製品の勧告を取り出す。その後、その製品がそのユーザに適しているか否かに従って、インジケータ２０９が緑色光または赤色光を表示する。製品が（たとえば）識別不可能であった場合には、青色光が表示され得る。また、バッテリの残量の低下または故障の発生といったシステムについての情報も表示することができる。いくつかの実施態様においては、インジケータ２０９が、物理的にリストバンド１００内に置かれないことがあり、それに代えて別の装置、好ましくは、スマートフォン、スマートウォッチ、またはイヤフォン等のウエアラブル装置によって提供される。
【００３９】
これまでの説明は、装着者の手首周りの回転に応答して付勢されるリストバンド１００に焦点を当ててきた。しかしながら、本発明の別の実施態様においては、リストバンド１００が装着者の手首と相対的に回転されるのではなく、むしろ、装着者の手首とリストバンド１００が調和して回転されるか、またはそのほかの形で動かされてリストバンド１００を付勢する。
【００４０】
図４は、どのようにすればリストバンド１００を付勢することができるかを、本発明のさらなる側面に従った一連の動きを使用して示している。図４に示されている例においては、フレーム１に示されているとおり、装着者が、光学センサ１０３およびレーザ光源１０４を自分の手首４０１の内側にしてリストバンド１００を装着している。その後、装着者が、フレーム２に示されているとおり、自分の手／手首４０１がバーコード４０２に向かってポイントするように腕を持ち上げる。プロセッサが、加速度計２０３および／またはジャイロスコープ２０４によって提供される信号からこの動きを識別する。たとえば、プロセッサは、ポイントする位置まで手を動かすユーザの動きに対応するリストバンド１００の相対的な有意の動き、およびそれに続く、ユーザの手が安定して保持されていることに対応する、まったく動きがないか、または非常に小さな動きしか包含しない期間を識別できる。この動きのシーケンスを識別した後、処理ユニット２０６は、スタンバイ・モードを出るが、まだ製品コード・リーダ１００を付勢せず、言い換えると処理ユニット２０６は、『予備付勢』モードに入る。その後に続く製品コード・リーダ１００を付勢するための動きが、特定の期間（たとえば、１秒）を伴って識別されなければ、処理ユニット２０６は、スタンバイ・モードに戻り得る。
【００４１】
上で述べたとおり、リストバンド１００の付勢に使用可能な１つのタイプのジェスチャーは、図４においては破線Ａ−Ａによって示されている装着者の手首の長さ方向の軸周りにリストバンド１００を回転することである。
【００４２】
そのほかの動きのシーケンスを使用してリストバンド１００を付勢することも可能である。たとえば、装着者は、自分の手首周りにリストバンド１００を回転して、リストバンド１００を予備付勢モードに設定し、その後、さらなる動きまたはジェスチャーを使用してリストバンド１００を付勢し得る。たとえば、その種のさらなるジェスチャーを、リストバンド１００を使用して製品ラベルを読み取るために、装着者がその製品に向かって自分の手首を突き出してもよい。たとえば、リストバンド１００が予備付勢モードにあるとき、光学センサ１０３が、装着者の手首の内側に位置している場合においては、装着者が、自分の手首を外向きに曲げて（自分の体から離して）光学センサを製品に向けて指向させてもよい。この曲げる動きを加速度計２０３および／またはジャイロスコープ２０４によって検出し、リストバンド１００の付勢のトリガに使用することが可能である。それに代えて、またはそれに加えて、リストバンド１００を上昇させることによってリストバンド１００の付勢がトリガされてもよい。
【００４３】
いくつかの場合においては、リストバンド１００が、リストバンド１００の付勢（すなわち、光源１０４をオンに転ずること）に使用することが可能なユーザ入力レシーバ（ボタンまたはタッチスクリーン・インターフェース等）を含み得る。光源１０４は、再びオフに転ずるまで、１０秒、３０秒、または１分等のあらかじめ定義済みの時間にわたって照明を持続する。光源１０４は、その後に続き、装着者の手首周りのリストバンド１００の回転（または、装着者自身の手首の回転）といったジェスチャーを使用し、このジェスチャーが、光源１０３がオフに転じた後の１分、または５分、または１０分等の特定の期間内に行われることを前提として再付勢することが可能である。この動作モードは、たとえば、ユーザがショッピング以外のアクティビティを行っているときの偶発的なリストバンド１００の付勢を抑える補助となる。
【００４４】
フレーム３に示されているとおり、その後ユーザは、自分の手を９０度回転して製品コード・リーダ１００を付勢する。処理ユニット２０６は、レーザ光源をオンに転じ、それが窓１０５を通ってバーコード４０２に投射される。光学センサ１０３センサが、その後、バーコード４０２を読み取る。
【００４５】
リストバンド１００１の動きは埋め込みプログラムを使用して処理し、ユーザが、ランニング、サイクリング、ウォーキング、睡眠、喫食、または飲食といった特定のアクティビティを行っているときを識別し得る。たとえば、加速度計２０３および／またはジャイロスコープ２０４は、式ａｘ（ｔ）＋ｂｙ（ｔ）＋ｃｚ（ｔ）＝ｄによって記述されるパターンと整合するリストバンド１００１の動きまたは軌跡を測定し得る。［これにおいて、ｘ（ｔ）、ｙ（ｔ）、およびｚ（ｔ）は、それぞれ、特定の時間ｔにおける、３つの直交する方向のうちの１つにおけるリストバンド１００１の位置を表し、ａ、ｂ、ｃ、およびｄは、定数である。］このパターン・マッチングは、ユーザによって行われたアクティビティの推論に使用され得、たとえばそのパターンが手から口への動きに関連付けされる場合には、ユーザが何かを食べているか、または飲んでいるといった推論ができる可能性がある。製品コード・リーダ１００は、上で述べた付勢機能と類似の方法により、異なるアクティビティを認識するべく学習させ得る。便利なことには、スマートフォン等の別の装置の補助を伴ってこの学習を行うことが可能である。
【００４６】
製品コード・リーダ１００は、別のウエアラブル・ユニット、たとえばスマートウォッチとペアリングすることも可能である。この方法は、ほかのウエアラブル装置からのデータを、手の動きの検出を向上させる補助とするか、またはユーザのアクティビティ（何かを食べているか、または何かを飲んでいる等）を識別するために製品コード・リーダ１００に提供することが可能である。
【００４７】
喫食または飲食に関連付けされる動きのログは、食事を摂る頻度およびそれらの持続時間を測定することを可能にする。この情報は、食習慣のより良好な管理の補助に使用することが可能である。
【符号の説明】
【００４８】
１００  手首装着型製品コード・リーダ、リストバンド、製品コード・リーダ
１０１  ストラップ
１０２  伸縮可能部位
１０３  光学センサ
１０４  光源
１０５  窓
１０６  インジケータ
２０１  バッテリ
２０２  充電ユニット
２０３  加速度計
２０４  ジャイロスコープ
２０５  追加のセンサおよび電極
２０６  処理ユニット
２０７  メモリ
２０８  無線通信モジュール
２０９  インジケータ
２１０  バイブレータ
４０１  手首
４０２  バーコード
【図１】
2021512433.tif 000003
【図２】
2021512433.tif 000004
【図３】
2021512433.tif 000005
【図４】
2021512433.tif 000006
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
手首装着型の装置であって、
・前記装置を装着者の手首に取り付けるためのバンドまたはストラップと、
・付勢時にバーコードを照明するためのレーザまたは発光ダイオードを包含するバーコード・リーダと、
・使用において、前記装着者の手首周りの前記装置の回転を示す前記装置の回転を検出するべく構成されたセンサと、
・前記センサおよび前記バーコード・リーダに結合され、かつ使用において、前記センサが少なくともあらかじめ定義済みの角度にわたる前記装置の前記回転を検出するとき、前記レーザまたは発光ダイオードを付勢するか、または、あらかじめ定義済みのその後に続くジェスチャーが前記レーザまたは発光ダイオードを付勢することが可能な状態に前記装置を設定するべく構成されたプロセッサと、
を包含する手首装着型の装置。
【請求項２】
前記あらかじめ定義済みの角度は、２０度より大きく、好ましくは３０度より大きく、より好ましくは４５度より大きい、請求項１に記載の装置。
【請求項３】
前記プロセッサは、使用において、前記検出された回転が、あらかじめ定義済みの時間、たとえば、２秒、またはより好ましくは、１秒未満のうちに生じる場合に限り、前記レーザまたは発光ダイオードを付勢するか、または前記装置を前記状態に設定するべく構成される、請求項１または２に記載の装置。
【請求項４】
前記プロセッサは、使用において、前記検出された回転が、あらかじめ定義済みの方向である場合に限り、前記レーザまたは発光ダイオードを付勢するか、または前記装置を前記状態に設定するべく構成される、請求項１から３のいずれか一項に記載の装置。
【請求項５】
前記センサは、ジャイロスコープおよび加速度計のうちの１つ以上を包含する、請求項１から４のいずれか一項に記載の装置。
【請求項６】
前記プロセッサは、使用において、その後に続く、少なくともさらなるあらかじめ定義済みの角度にわたる前記装置の回転を前記センサが検出することに応答して前記レーザまたは発光ダイオードを消勢するべく構成される、請求項１から５のいずれか一項に記載の装置。
【請求項７】
前記プロセッサは、さらに、使用において、前記レーザまたは発光ダイオードの付勢に続いてあらかじめ決定済みの時間が経過した後に前記レーザまたは発光ダイオードを消勢するべく構成される、請求項１から６のいずれか一項に記載の装置。
【請求項８】
前記プロセッサは、さらに、使用において、前記製品コード・リーダが製品コードを読み取った後に前記レーザまたは発光ダイオードを消勢するべく構成される、請求項１から７のいずれか一項に記載の装置。
【請求項９】
さらに、前記製品に関連付けされた勧告を前記ユーザに提供するためのインジケータを包含する、請求項１から８のいずれか一項に記載の装置。
【請求項１０】
さらに、製品コードと、および関連付けされる、前記ユーザによって提供された生体試料の分析から獲得されたパーソナル化した遺伝子情報から導出された製品の勧告とをストアするメモリを包含する、請求項９に記載の装置。
【請求項１１】
前記装置を付勢するための前記あらかじめ定義済みのその後に続く動作または複数の動作は、前記装置の前記装着者によって行われたジェスチャーを示す前記装置の動きまたは動きのシーケンスを包含し、前記センサは、使用において、前記動きまたは動きのシーケンスを検出するべく構成される、請求項１から１０のいずれか一項に記載の装置。
【請求項１２】
前記動きまたは動きのシーケンスは、前記製品コード・リーダの前記レーザまたは発光ダイオードを製品に向かって指向させるジェスチャーを示す、請求項１１に記載の装置。
【請求項１３】
前記ジェスチャーは、前記リストバンドを上昇させることを包含する、請求項１１または１２に記載の装置。
【請求項１４】
装置を装着者の手首に取り付けるためのバンドまたはストラップを包含する手首装着型の装置を動作させる方法であって、少なくともあらかじめ定義済みの角度にわたる装着者の手首周りの前記装置の回転を示す前記装置の回転を検出することと、その種の検出時に、バーコード・リーダのレーザまたは発光ダイオードを付勢するか、または前記装置を、あらかじめ定義済みのその後に続く動作または複数の動作が前記レーザまたは発光ダイオードを付勢することが可能な状態に設定することと、を包含し、それにおいて、前記レーザまたは発光ダイオードの付勢は、バーコードを照明するためであるとする方法。
【国際調査報告】
2021512433.tif 000007
2021512433.tif 000008
2021512433.tif 000009